(57)【特許請求の範囲】
【請求項１】
タンク１の側壁１ａに設けた開口２に液面計３を密着して取り付け、
該液面計３の枠体３ａには液体を直視できる透明体で形成した窓３ｂを設け、
該窓３ｂのタンク１内部側には窓３ｂからタンク１内に向かう光が当たる視認板４を設けた液面計において、
該視認板４の表面には微細な透光性粒体５を多数配置したことを特徴とする液面計装置。
【請求項２】
前記透明体で形成した窓３ｂのタンク１内部側には傾斜面３ｃが形成され、
かつ、窓３ｂからタンク１内に向かう光は前記傾斜面３ｃで反射して窓３ｂのタンク１内部側の他面に届くと共に、
該タンク１内部側の他面には前記視認板４の微細な透光性粒体５を多数配置した面が接近して位置することを特徴とする請求項１記載の液面計装置。
【請求項３】
任意の色調を持った視認板４の表面に透明な接着層４ａが形成されており、
前記微細な透光性粒体５は、接着層４ａの中を一部が視認板４の表面に届くと共に、一部は接着層４ａから露出していることを特徴とする請求項１または２に記載した液面計装置。
【請求項４】
表面に微細な透光性粒体５を多数配置した前記視認板４の表面は白の色調を有することを特徴とする請求項１から３のいずれかに記載した液面計装置。
【請求項５】
前記透明体で形成した窓３ｂのタンク１内部側には傾斜面３ｃが形成され、
かつ、傾斜面３ｃと間隔を介したタンク１の内部には視認板４とは色調が異なった第２視認板６を設け、
前記タンク１内に液体がある時は窓３ｂからタンク１内に向かう光が傾斜面３ｃを透過して第２視認板６に当たることを特徴とする請求項２から４のいずれかに記載した液面計装置。
【請求項６】
前記液面計３の枠体３ａに設けた窓３ｂは上下方向が長い長細形状に構成され、
かつ、窓３ｂは左右側部の奥行き寸法よりも中央部の奥行き寸法を短くして二つの上下方向に伸びる傾斜面３ｃを形成し、
前記視認板４と第２視認板６とは上下に長い断面コ形に形成して中央部が第２視認板６・両側部が視認板４を構成し、
該視認板４を構成する両側部が窓３ｂの奥行き寸法が長い部分の側面に接近していることを特徴とする請求項５に記載した液面計装置。
【発明の詳細な説明】
【０００１】
【産業上の利用分野】
この発明は石油燃焼器などに用いられるカートリッジタンクに適する油量計に利用できる液面計装置に関するものである。
【０００２】
【従来の技術】
石油燃焼器のカートリッジタンクでは注入口に開閉弁を取り付けたキャップを設けており、キャップが外された注入口から燃料である油を注入し、キャップを締めてから注入口部分を下に向けて石油燃焼器に装着して使用するものであり、石油燃焼器では開閉弁を介してタンク内に流入した空気に代わってタンク内の油が石油燃焼器に供給される給油システムが用いられている。
【０００３】
このような給油システムではタンクのキャップが下に向いた使用中は、常にタンク内部が負圧となっているので、一般的なフロート機構を使った液面計は使用できず、使用中に下方となる注入口付近の側壁に開口をあけ、この開口に液体が直視できる窓を有する液面計を取り付けて、液面計が開口を密閉してタンクの負圧に耐える構造となっている。
【０００４】
このような液面を直視する液面計では、液体が透明に近い程液体の視認が困難であるから、多くの液面計では窓の内方のタンク内に色付きの視認板を設けており、液体のない時には窓から入った光が視認板に届くまでの間に散乱して、視認板の色が見えにくく、液体のある時には光が散乱せずに視認板に届いて明るくなり、視認板の色が明瞭にわかる構造が知られている。
【０００５】
また、窓の構造として液面に接する部分に傾斜面を設け、外から入った光は液体がない時には傾斜面で反射し、液体がある時には傾斜面で反射せずにそのままタンク内に直進する。このようにタンク内で光の当たる方向を変化させ、少なくとも一方の光の当たる方向に視認板を配置することも行なわれている。
【０００６】
【発明が解決しようとする課題】
このように、視認板を設けることによって透明の灯油などの液体であっても液体の存否がわかり易くなるが、この視認板はタンクの外側から窓を通して入ってくる光によって見えるものであるから、液面計の位置が枠体の奥まったところにある時や、枠体の下方に位置している時には見にくく、確認し易さにおいて課題がある。
【０００７】
この為、液面計付近の石油燃焼器の枠体にランプを取り付けたものがあるが、この構造は石油燃焼器の使用中における液体の存否の確認には有効であっても、液体を注入する時の満量表示の確認は改善されておらず、改善の余地はある。また、視認板に色を付ける時に、わかりやすくするために蛍光塗料や蓄光塗料によって色つけしたものがあるが、このような塗料は例えば石油燃焼器のように油の中では色褪せなどによる耐久性が悪く、長期間の使用によってだんだん見えにくくなってしまうものであり、上記の課題を完全に解決するものではなかった。
【０００８】
【課題を解決するための手段】
この発明は上記の課題を解決するもので、タンク１の側壁１ａに設けた開口２に液面計３を密着して取り付け、該液面計３の枠体３ａには液体を直視できる透明体で形成した窓３ｂを設け、該窓３ｂのタンク１内部側には窓３ｂからタンク１内に向かう光が当たる視認板４を設けた液面計において、該視認板４の表面には微細な透光性粒体５を多数配置したことを特徴としている。
【０００９】
また、前記透明体で形成した窓３ｂのタンク１内部側には傾斜面３ｃが形成され、かつ、窓３ｂからタンク１内に向かう光は前記傾斜面３ｃで反射して窓３ｂのタンク１内部側の他面に届くと共に、該タンク１内部側の他面には前記視認板４の微細な透光性粒体５を多数配置した面が接近して位置しているから、窓３ｂに接近して取り付けた視認板４は明るく見えるようになった。
【００１０】
また、任意の色調を持った視認板４の表面に透明な接着層４ａが形成されており、前記微細な透光性粒体５は、接着層４ａの中を一部が視認板４の表面に届くと共に、一部は接着層４ａから露出した構成であるから、明るくなった視認板４からの色調を持った光の多くが窓３ｂからタンク１の外へ向かうようになる。
【００１１】
また、表面に微細な透光性粒体５を多数配置した前記視認板４の表面は白の色調を有するようにしたから、液体の存否の確認に際して明暗がはっきりして見易くなる。
【００１２】
また、前記透明体で形成した窓３ｂのタンク１内部側には傾斜面３ｃが形成され、かつ、傾斜面３ｃと間隔を介したタンク１の内部には視認板４とは色調が異なった第２視認板６を設け、前記タンク１内に液体がある時は窓３ｂからタンク１内に向かう光が傾斜面３ｃを透過して第２視認板６に当たる構成としたから、液体の存否によって窓３ｂの色が変わり、視認板４が見やすくなる。
【００１３】
また、前記液面計３の枠体３ａに設けた窓３ｂは上下方向が長い長細形状に構成され、かつ、窓３ｂは左右側部の奥行き寸法よりも中央部の奥行き寸法を短くして二つの上下方向に伸びる傾斜面３ｃを形成し、前記視認板４と第２視認板６とは上下に長い断面コ形に形成して中央部が第２視認板６・両側部が視認板４を構成し、該視認板４を構成する両側部が窓３ｂの奥行き寸法が長い部分の側面に接近したから、透光性粒体５を有する視認板４が見易くなると共に、第２視認板６を用いる時でも製作し易くなった。
【００１４】
【作用】
この種のタンク１の液面計３において、窓３ｂからタンク１内に向かう光は窓３ｂの内面が液体に接している時には、そのままタンク１内に透過するものであり、液体がないときには窓３ｂから入った光は直接タンク１内に透過せずに窓３ｂの内壁面で一部は反射し一部は透過するから、タンク１内に向かう光は弱くなる。
【００１５】
また、照らされて明るくなった視認板４から出る色調を持った光が窓３ｂに向かう時にも、液体があるときにはそのまま窓３ｂに透過するが、液体がないときには窓３ｂの壁面で一部は反射し一部が透過するから、結局、タンク１内の液体の存否によって窓３ｂの明るさが変わり、この明暗によって液体の存否が確認できる。
【００１６】
また、窓３ｂの内面に傾斜面３ｃを有する時には、タンク１に液体がない時には窓３から入った光は傾斜面３ｃで反射して側方に向かい、また、タンク１に液体がある時には、窓３ｂから入った光はそのままタンク１内に直進するものであり、少なくとも光が進む方向の一方に視認板４を設けることにより、明るくなった視認板４によって液体の存否が確認できる。
【００１７】
この発明はこの視認板４の表面に微細な透光性粒体５を多数配置することで、視認板４の色調が明るく見えるようにするものである。一般に、明るく照らされた視認板４からは人間の目で指定の色調が見ることができる光となって放射（実際には照らされた波長の光の中で一部の波長の光が反射）されているわけで、この光は視認板４の前面１８０度の角度で放射されている。このため、視認板４の多くの光は前方の窓３ｂに向かわずに側方のタンク１内に向かうものであり、また、視認板４を窓３ｂに近づけた時でも浅い角度で窓３ｂに向かう光は窓３ｂの壁面で反射してタンク１内に向かうものである。
【００１８】
窓３ｂから視認板４に向かう光は視認板４の表面に微細な透光性粒体５があっても、視認板４に届く光量は変わりない。一方、視認板４から窓３ｂに向かう光は隣接する微細な透光性粒体５に入り、側方へ向かう光は透光性粒体５の中で反射して前方の窓３ｂに向けられるから、透光性粒体５を視認板４の表面に配置することによって視認板４から窓３ｂに向かう光量は格段に多くなり、この光りがそのままタンク１外の人の目に向かい、視認板４の素材の色調や、視認板４に塗布した塗料の色調が明るく確認することができる。
【００１９】
【実施例】
実施例を示す図によってこの構成を説明すると、１は石油燃焼器への給油と枠体内で燃料を保管するカートリッジ式のタンク、７はタンク１の注入口、８は注入口７に被せるキャップ、９はキャップ８に取り付けた開閉弁であり、キャップ８を取り外して注入口７を開いてタンク１内に油などの液体燃料を供給する。また、満量になったタンク１はキャップ８を締めてから注入口７部分を下に向けて転倒し、石油燃焼器に装着するものであり、石油燃焼器は燃焼を行なって油が使われると、開閉弁９を介してタンク１内に空気が入り、代わってタンク１内の油が石油燃焼器に供給される。
【００２０】
上記のカートリッジ式のタンク１ではキャップ８が下に向いた使用中は、常にタンク１内は負圧になっているから、フロート式の液面計は使用することができない。２はタンク１の注入口７付近の側壁１ａに設けた開口、３は開口２に密着取り付けする液面計である。３ａは液面計３を構成する枠体、３ｂは枠体３ａに設けた透明体で形成した窓、３ｄは枠体３ａと窓３ｂと開口２との間に介在させたパッキング、３ｅはパッキング３ｄを介してタンク１の開口２に枠体３ａを密着取り付けするねじである。
【００２１】
このように、この種の液面計３ではタンク１の開口２に密着しているから、転倒したときのタンク１の負圧に絶えることができ、液面計３の窓３ｂはタンク１内の油を直接見ることによって液体の存否が確認できる。しかし、このような液面を直視する液面計３は液体が透明に近い程視認が困難になる問題点がある。
【００２２】
即ち、窓３ｂの内側に透明な液体があるときには、窓３ｂからタンク１内に向かう光はそのままタンク１内の透明な液体内を進んでタンク１内は暗く見え、一方、窓３ｂの内側に液体がないときにはタンク１内に向かう光は窓３ｂの内壁面で一部が散乱して少し明るく見え、この明暗差で液体の存否を確認することになるから視認が難しくなる。
【００２３】
４はタンク１内に位置して液面計３の窓３ｂの内方に設けた色付きの視認板であり、タンク１内に向かった光はこの視認板４を照らすから、この視認板４の色はタンク１の外から見ることができ、窓３ｂと視認板４との間隔寸法を適宜選択することによって、液体が透明でも視認性が向上する。
【００２４】
３ｃは透明体で形成した液面計３の窓３ｂのタンク１内部側の壁面に形成した傾斜部であり、タンク１に液体がない時には窓３から入った光は傾斜面３ｃで反射して側方に向かい、また、タンク１に液体がある時には、窓３ｂから入った光はそのままタンク１内に直進する。このため、液体があるときもしくは液体がないときに進む光の方向が違うから、光の進む前方に前記視認板４を配置すれば、タンク１の外から視認板４の色を確認することで液体の存否が確認できる。
【００２５】
具体的には傾斜面３ｃで反射して側方に向かう光の前方に視認板４を配置するときには窓３ｂと視認板４との間隔を接近させ、傾斜面３ｃで反射せずにタンク１内に向かう光の前方に視認板４を配置するときには間隔寸法を広くすることによって、視認板４の色によって液体の存否が確認できる。
【００２６】
ところで、液面計３は石油燃焼器の枠体の下方に配置されることが多く、タンク１に給油するときには暗いところで行われる場合がある。視認板４がタンク１の外から見えるということは、視認板４から人の目に向かう光があるということで、この光の量の多さに関係してくる。この光は視認板４が明るければ人に目に向かう光の量が多くなるから、視認板４を明るく照らす工夫として、従来ではタンク１を取り付ける石油燃焼器にランプを設置して窓３ｂから視認板４に向かう光量を多くしたり、窓３ｂを大きくして視認板４に光が届きやすい構造が実施されているが、視認板４に取り入れる光の量には限界があった。
【００２７】
この発明は視認板４を照らした光の量を増やすことは難しいから、視認板４から人の目に戻ってくる光の量を増やして窓３ｂの内方に配置する視認板４を明るくし、液体の存否が確認しやすい液面計を得るもので、５は視認板４の表面に配置した微細な透光性粒体であり、該透光性粒体５は多少の角張りはあっても良いが、好ましくは球体になっているほうが良く、粒径も細かいほうが良い。そして、このように微細な透光性粒体５が視認板４にあっても、窓から視認板４に届く光量は変わりない。
【００２８】
明るく照らされた視認板４からは、人間の目で指定の色調が見ることができる光となって放射（実際には照らされた波長の光の中で一部の波長の光が反射）されており、微細な透光性粒体５がないときには、この光は視認板４の前面１８０度の角度で放射され、多くの光は前方の窓３ｂに向かわずに側方のタンク１内に向かっている。また、窓３ｂに接近して視認板４を取り付ける構造でも、浅い角度で窓３ｂに向かう光は窓３ｂの壁面で反射してタンク１内に向かい、窓３ｂからタンク１の外に向かう光量を少なくしている。
【００２９】
これに対して、この発明の微細な透光性粒体５で視認板５の表面を覆って多数配置したときには、図６に示すように視認板４から側方に向かおうとする光Ｘは隣接する微細な透光性粒体５に入り、この光は透光性粒体５の中で反射して透光性粒体５を出たときの光の進む方向は前方の窓３ｂに向けられ、また、視認板４から上方に向かおうとする光Ｙも直接微細な透光性粒体５に入り、この光は透光性粒体５を出たときには前方の窓３ｂに向かうようになる。
【００３０】
このため、透光性粒体５の働きによって、従来ではタンク１の内方に向かっていた光がこの発明では窓３ｂに向かうようになり、視認板４全体から窓３ｂに向かう光量を格段に多くすることができ、視認板４を照らす光の量が少ないときでも、視認板４の素材の色調や、視認板４に塗布した塗料の色調が明るく見えるようになり、タンク１内の液体の存否の確認がしやすくなった。
【００３１】
このとき、透光性粒体５をまばらに配置してあれば、透光性粒体５のある部分とない部分とで光量に明暗ができるから、視認板４の色調がきらきらと輝くように見せることもできる。
【００３２】
視認板４を用いる液面計の具体的な構造である図１の実施例では、窓３ｂに傾斜面３ｃのない液面計を示している。一般に液面計３の枠体に設けた窓３ｂは上下方向に長い細長形状に構成してあり、低い位置に液面計３が取り付けられても斜め上方の人の目の位置からよく見えるようになっている。図１の実施例の窓３ｂの構造はタンク１の内部側は平面となっており、タンク１内に液体がないときにはこの平面で光が散乱して、平面と間隔を置いた視認板４に届く光量が少なくなる。また、タンク１内に液体があるときにはこの平面での光の散乱はほとんどなく、光は視認板４に届いて明るく照らすから、視認板４の色調のある光は微細な透光性粒体５の働きで窓３ｂへ戻る光量を多くして、視認板４の色調が明るく見えるようになる。
【００３３】
また、窓３ｂのタンク１の内面側に傾斜面３ｃを有する実施例において、図２及び図３は二つの傾斜面３ｃをＶ形に配置しており、３ｆはこのＶ形の頂点から窓３ｂの素材の内面に向けて形成したスリットであり、このスリット３ｆ内には表裏両面に微細な透光性粒体５を多数配置した視認板４が挿入してある。
【００３４】
図２の実施例において、液体がタンク１内にあるときには、窓３ｂからタンク１内に向かう光は傾斜面３ｃで反射せずにそのままタンク１内に入り窓３ｂからは光が戻らず暗い状態になる。液体がタンク１内にないときには、窓３ｂからタンク１内に向かう光は傾斜面３ｃで反射してスリット３ｆ内の視認板４に向かって視認板４を明るく照らす。この視認板４には微細な透光性粒体５が多数配置してあるから、視認板５から戻る光の量が多くなり、液面計３の窓３ｂには視認板４の色調が明るく見えるようになる。この構造では視認板４と窓３ｂとを接近して配置できるから、視認板４から人の目に届く光量は、大きな間隔を持って視認板４を配置するときと比べて格段に多くなり、液体の存否が確認しやすくなる。
【００３５】
図３に示す二つの傾斜面３ｃをＶ形に配置してスリット３ｆを設けた実施例において、６は窓３ｂの傾斜面３ｃと間隔を介したタンク１の内部に設けた第２視認板であり、第２視認板６は視認板４とは色調が異なっている。図２に示す実施例では液体がタンク１内にあるときには、窓３ｂからタンク１内に向かう光は傾斜面３ｃで反射せずにそのままタンク１内に入り窓３ｂからは光が戻らず暗い状態になるが、図３の実施例ではタンク１内に入った光は第２視認板６を照らすことができる。
【００３６】
このため、液面計３の窓３ｂは液体があるときには視認板４の色調とは異なった第２視認板６の色調に見えるようになり、この実施例ではタンク１内の液体の存否によって液面計３の窓３ｂの色が異なるので、視認板４と第２視認板６の色調を異ならせることによって、さらに、液体の存否が確認しやすくなる。
【００３７】
図４に示す実施例は傾斜面の配置を図２・図３とは異にする実施例であり、窓３ｂは左右側部の奥行き寸法よりも中央部の奥行き寸法を短くして左右に二つの上下方向に伸びる傾斜面３ｃを設けてＭ形に形成している。一方、１０は図７に示すように上下に長い断面コ形に形成した視認板枠体であり、側面部が窓３ｂの奥行き寸法の長い部分の側面に接近して視認板４を構成し、中央部が第２視認板６を構成している。１０ａは第２視認板６を構成する中央部の上下端を前方に折曲げて第２視認板６の一部を構成する視認片、１０ｂは側面部の先端を外方に折曲げて形成した固定片であり、固定片１０ｂは窓３ｂをパッキング３ｄに取り付ける時に一緒に視認板枠体１０が取り付けできるようになっている。
【００３８】
図４の液面計において、窓３ｂからタンク１内に向かう光は液体がある時には傾斜面３ｃで反射せずにそのままタンク１内に入って、第２視認板６を照らしており、窓３ｂが第２視認板６の色調になることで液体があることがわかる。この時、人の目の位置が高い時には第２視認板６の視認片１０ａからも光りが戻って来るので、上から覗く時でも窓３ｂ全体が第２視認板６の色調となる。また、液体がない時には傾斜面３ｃで反射し、側方の窓３ｂの壁面を透過して接近した視認板４を照らしており、該視認板４に届いた光は表面の透光性粒体５によって窓３ｂに戻る光量が多くなり、窓３ｂは視認板４の明るい色調になる。
【００３９】
この実施例の構造では視認板４と第２視認板６を視認板枠体１０で一体に構成したから、第２視認板６を用いる時でも製作が簡単になったものである。即ち、平板状の視認板枠体１０に塗料によって色調を異ならせて、中央に第２視認板６の色調を、また、側部に視認板４の色調を塗布し、更に、視認板４となる部分に微細な透光性粒体５を多数配置しており、その後、透光性粒体５を付着させた部分を避けて折曲げ加工を行なえば、塗膜のひび割れもなく視認板枠体１０を製作することができる。
【００４０】
このように製作した視認板枠体１０は視認板４と第２視認板を別々に取り付けする必要がなくなり、また、実施例のように固定片１０ｂを設けた時には窓３ｂをパッキング３ｄに取り付ける時に、一緒に視認板枠体１０の固定片１０ｂを固定することができ、液面計の製作も簡単になる。
【００４１】
視認板４に多数配置した微細な透光性粒体５はガラス素材で形成されており、粒子径が細かい程明るくなるので、従来品よりも目立って明るくするためには２００ミクロン以下の粒子径が好ましい。図６において４ｂは視認板４の表面に塗布した任意の色調を持った塗膜、４ａは塗膜４ｂの上に形成した接着層であり、微細な透光性粒体５は視認板４側の面が塗膜４ｂの表面に届き、接着層４ａの厚さは透光性粒体５の大きさの半分以下の厚さが好ましく、このようにすることで透光性粒体５が視認板４の表面に付着した状態を作り出すことができ、長期間使用しても透光性粒体５が剥離することなく、耐久性が得られる。
【００４２】
また、透光性粒体５の粒子径が細かい時には、印刷で接着層４ｂを形成した面にシルク印刷法で透光性粒体５を付着させることができ、印刷技術を利用することにより作業工程も簡単となり、多量生産が可能になる。
【００４３】
一方、液面計３の窓３ｂからタンク１内の液体の存否を確認する時には、微細な透光性粒体５は他の状態との差を明確にして視認板４の存在を明るく見せるものであり、このためには視認板４の色調は白色が好ましく、透光性粒体５と組み合わせた時には少しばかり周囲の雰囲気が暗くとも、タンク１の内部の液体の存否が非常に明確な視認ができるようになった。
【００４４】
また、白を色調とする視認板４を用いる時などのように、視認板４に明るい色調が実施できた時には、異なる色調の第２視認板６の塗膜の表面にも多数の微細な透光性粒体５を配置してもよく、この場合、明るい色調の色の違いでタンク１内の液体の存否が確認できるようになる。
【００４５】
尚、この発明の液面計は石油燃焼器のカートリッジタンクの油量計によって説明しているが、石油燃焼器に使用されるタンクに限定されるものではなく、加湿器などの水タンクの液面計などのように注入口に開閉弁を取り付けて転倒させて使用するタンクや、一般的なタンク上面に取り付けるフロートを用いる方式の液面計の代わりに、タンクの側壁に取り付けて利用することができる。
【００４６】
【発明の効果】
上記のようにこの発明では液面計３を構成する窓３ｂのタンク１内側に視認板４を設け、この視認板４の表面３ｂに微細な透光性粒体５を多数配置したから、視認板４を照らした光の大部分がタンク１内に向かうことなく窓３ｂに向かうようになり、タンク１の外から見る液面計３の窓３ｂは明るい色になって、液体の存否の確認が行ないやすくなったものである。特に、タンク１の周囲が少しばかり暗くとも確実に視認板４の色調が確認できるようになるから、液面計３を使うタンク１の適用範囲が広くなり、使い勝手が非常に良くなったものである。
【００４７】
また、透明体の窓３ｂのタンク１内面側に傾斜面３ｃを設けた時には、該傾斜面３ｃに反射した光と傾斜面３ｃを透過した光とが分離できるから、該傾斜面３ｃに反射した光が届く窓３ｂの面に視認板４の透光性粒体５を有する面を接近して配置することにより、光の大部分が透明な窓３ｂ内に戻るようになり、視認板４が窓３ｂから離れた時よりも色調が明るく、液体の存否が確認し易くなったものである。
【００４８】
また、透光性粒体５は視認板４の上に接着層４ａを形成して、この接着層４ａによって透光性粒体５を付着させ、透光性粒体５の下部が視認板４に届き、他部分は接着層４ａに埋まることなく表面に露出させたから、透光性粒体５の明るさは維持しながら、確実に透光性粒体５が付着できて、長期間の使用が可能になった。
【００４９】
また、視認板４に多数配置する透光性粒体５の働きは視認板４を明るくするものであるから、視認板４の色調を選択する時には明るい白の色調を選択すれば、更に、液体の存否の確認がし易くなる。
【００５０】
一方、傾斜面３ｃを有する窓３ｂでは多数の透光性粒体５を付着した視認板４に対して、窓３ｂと間隔を介して色調が異なった第２視認板６を設けたから、タンク１の内部の液体の存否は色の違いとして認識できるから、明暗によって液体の存否を確認するときよりも、液体の確認がし易くなる。
【００５１】
更に、液面計３を製作する時に、視認板４と第２視認板６を別々に取り付けるのではなく、窓３ｂは中央の奥行き寸法を短くして二つの傾斜面３ｃを形成し、窓３ｂの側部には視認板４の透光性粒体５を配置した面とが対向している。前記二つの視認板４・６は断面コ形に形成した部材の中央部を第２視認板６、側部を視認板４として形成すれば、液体がない時には視認板４を照らし、液体がある時には第２視認板６を照らすようになり、液体の存否が色の違いで確認し易くなる。また、この構造であれば、二枚の視認板４・６を一度に取り付けできるようになり、非常に製作し易くなるものである。
【図面の簡単な説明】
【図１】この発明の実施例を示す液面計の断面図である。
【図２】この発明の他の実施例を示す液面計の断面図である。
【図３】この発明の他の実施例を示す液面計の断面図である。
【図４】この発明の他の実施例を示す液面計の断面図である。
【図５】この発明を実施するタンクの断面図である。
【図６】この発明の部品である視認板の要部の拡大断面図である。
【図７】この発明の部品の斜視図である。
【符号の説明】
１    タンク
１ａ  タンクの側壁
２    開口
３    液面計
３ａ  枠体
３ｂ  窓
３ｃ  傾斜面
４    視認板
４ａ  接着層
５    透光性粒体
６    第２視認板
【図１】
0003873734.tif 000002
【図２】
0003873734.tif 000003
【図３】
0003873734.tif 000004
【図４】
0003873734.tif 000005
【図５】
0003873734.tif 000006
【図６】
0003873734.tif 000007
【図７】
0003873734.tif 000008